(57)【要約】【課題】ユニットバス設営後に設置する仕様でもユニットバス設営前に設置する仕様でも対応できるようにする。【解決手段】浴室暖房機本体１と浴室暖房機本体１の下面に装着されるグリル板２とで構成され、浴室暖房機本体１には、熱源機３から供給される温水が循環する暖房用温水管路４と、温風を発生するために暖房用温水管路４に配置された温風用熱交換器５と、送風機６と、ミストサウナ用の温水をミスト状に噴霧するミストノズル７とを具備するミストサウナ機能付き浴室暖房機である。これにおいてミストノズル７を固定したノズル固定板１０を浴室暖房機本体１に対して上下位置変更自在に取り付ける。たことを特徴とする。【選択図】        図５
2006071144.tif 000002
【特許請求の範囲】
【請求項１】
浴室暖房機本体と浴室暖房機本体の下面に装着されるグリル板とで構成され、浴室暖房機本体には、熱源機から供給される温水が循環する暖房用温水管路と、温風を発生するために暖房用温水管路に配置された温風用熱交換器と、送風機と、ミストサウナ用の温水をミスト状に噴霧するミストノズルとを具備したミストサウナ機能付き浴室暖房機において、ミストノズルを固定したノズル固定板を浴室暖房機本体に対して上下位置変更自在に取り付けたことを特徴とするミストサウナ機能付き浴室暖房機。
【請求項２】
ノズル固定板に設けたスライド部と浴室暖房機本体に装着したノズル支持ステーの被スライド部とを上下にスライド自在に重合し、スライド部と被スライド部とのいずれか一方に上下に長い長孔を設けると共にこの長孔を介して他方に止めネジを螺合して止めネジに対して長孔をスライド自在にしたことを特徴とする請求項１記載のミストサウナ機能付き浴室暖房機。
【請求項３】
ノズル固定板を上方に移動したときミストノズルが浴室暖房機本体の下面から突出しないように浴室暖房機本体内に収納されるようにし、浴室暖房機本体内に収納された状態で保持されるようにしたことを特徴とする請求項１または請求項２記載のミストサウナ機能付き浴室暖房機。
【請求項４】
ノズル固定板をグリル板に固定し得るようにしたことを特徴とする請求項１乃至請求項３のいずれかに記載のミストサウナ機能付き浴室暖房機。
【請求項５】
ミストノズル及びその固定部をノズルキャップで覆ったことを特徴する請求項１乃至請求項４のいずれかに記載のミストサウナ機能付き浴室暖房機。
【発明の詳細な説明】
【技術分野】
【０００１】
本発明は、浴室に温水をミスト状に噴霧してミストサウナできるミストサウナ機能を有した浴室暖房機（浴室の暖房だけでなく、換気や乾燥を行うものも含む）に関するものである。
【背景技術】
【０００２】
一般に浴室暖房機の設置は、ユニットバスの設営後に行われることが多い。しかしマンション等の集合住宅では短時間で効率よく設置する必要性からユニットバスの設営前に浴室暖房機を設置することが望まれている。
【０００３】
浴室暖房機をユニットバス設営後に設置するのと、ユニットバス設営前に設置するのとでは施工の仕様が次のように異なる。ユニットバス設営後に浴室暖房機を取り付ける場合は、ユニットバスの天井板の開口部に下から浴室暖房機本体を挿通して浴室暖房機本体の下端の周縁のフランジを開口部の周縁で天井板の下面に当接すると共に浴室暖房機本体を建物躯体に吊り支持し、その後グリル板をフランジの下面に当接してグリル板を浴室暖房機本体に取り付けている。ユニットバス設営前に浴室暖房機を取り付ける場合、浴室暖房機本体を建物躯体に吊り支持した後、ユニットバスを設営してユニットバスの天井板の開口部に浴室暖房機本体の下面を臨ませると共に浴室暖房機本体の下端の周縁のフランジを開口部の周縁で天井板の上面に当接し、この天井板を挟むように浴室暖房機本体の下方にグリル板を配置してグリル板を浴室暖房機本体に取り付けている。つまり、ユニットバス設営後、浴室暖房機を設置する場合は、浴室暖房機本体とグリル板との間にユニットバスの天井板を介せず直接浴室暖房機本体にグリル板を取り付けるが、ユニットバス設営前に浴室暖房機を設置する場合、浴室暖房機本体とグリル板との間にユニットバスの天井板を介在して浴室暖房機本体にグリル板を取り付けている。
【０００４】
上記のように浴室暖房機をユニットバス設営後に設置する場合と、ユニットバス設営前に設置する場合とでは浴室暖房機本体に対するグリル板の高さ位置がユニットバスの天井板の厚さとフランジの厚さと上下のシール材の厚さの和の厚さ分だけ異なるようになる。ところで近年、この種の浴室暖房機において、ミストサウナ浴もできるようにしたミストサウナ機能付き浴室暖房機も提供されている（例えば、特許文献１、特許文献２参照）、このミストサウナ機能を持たせるために温水のミストを噴霧するミストノズルを浴室暖房機本体に設けた場合、ユニットバス設営後に浴室暖房機を設置する場合と、ユニットバス設営前に浴室暖房機を設置する場合とで、グリル板に対するミストノズルの相対位置が変わってしまう。
【特許文献１】特開２００２−３３６１５５号公報
【特許文献２】特開２００３−３３６８７５号公報
【発明の開示】
【発明が解決しようとする課題】
【０００５】
ところで、この種のミストサウナ機能付き浴室暖房機ではミストノズルをグリル板に露出させるためにグリル板に対してミストノズルを所定の高さ位置に位置させる必要がある。このためユニットバス設営後の設置とユニットバスの設営前の設置に対応するために浴室暖房機本体に対するミストノズルの取り付け位置が２種類の仕様の浴室暖房機を用意する必要がある。またユニットバスの天井板の厚さも異なる場合があるのでそれに対応するためにさらに多くの種類のものを用意する必要も生じる。またユニットバス設営前に浴室暖房機本体を設置すると、ミストサウナ機能付き浴室暖房機の場合、浴室暖房機本体からミストノズルが下方に突出し、ミストノズルがユニットバスの設営の邪魔になってユニットバスの施工性が悪くなるという問題がある。
【０００６】
本発明は上記の従来の問題点に鑑みて発明したものであって、ユニットバス設営後に設置する仕様でもユニットバス設営前に設置する仕様でも対応でき、また後でユニットバスを設営する場合でもユニットバスの設営の邪魔にならないミストサウナ機能付き浴室暖房機を提供することを課題とするものである。
【課題を解決するための手段】
【０００７】
上記課題を解決するために本発明のミストサウナ機能付き浴室暖房機Ａは、浴室暖房機本体１と浴室暖房機本体１の下面に装着されるグリル板２とで構成され、浴室暖房機本体１には、熱源機３から供給される温水が循環する暖房用温水管路４と、温風を発生するために暖房用温水管路４に配置された温風用熱交換器５と、送風機６と、ミストサウナ用の温水をミスト状に噴霧するミストノズル７とを具備したミストサウナ機能付き浴室暖房機において、ミストノズル７を固定したノズル固定板１０を浴室暖房機本体１に対して上下位置変更自在に取り付けたことを特徴とする。上記のように構成したことにより、ミストノズル７の位置を上下に変更することでユニットバス設営後に設置する仕様でもユニットバス設営前に設置する仕様でもグリル板２に対するミストノズル７の相対位置を合わせることができ、ユニットバス設営後に設置する仕様でもユニットバス設営前に設置する仕様でも１種類のもので対応できると共に何れ仕様でも同じ外観で同じミストサウナ機能を発揮するように施工できる。
【０００８】
またノズル固定板１０に設けたスライド部１１と浴室暖房機本体１に装着したノズル支持ステー１２の被スライド部１３とを上下にスライド自在に重合し、スライド部１１と被スライド部１３とのいずれか一方に上下に長い長孔１４を設けると共にこの長孔１４を介して他方に止めネジ１５を螺合して止めネジ１５に対して長孔１４をスライド自在にしたことを特徴とすることも好ましい。このようにすることで浴室暖房機本体１に装着したノズル支持ステー１２に対してノズル固定板１０を簡単な構造で上下にスライド自在に支持でき、ノズル固定板１０と一緒にミストノズル７を上下に位置変更する構造を容易に実現できる。
【０００９】
またノズル固定板１０を上方に移動したときミストノズル７が浴室暖房機本体１の下面から突出しないように浴室暖房機本体１内に収納されるようにし、浴室暖房機本体１内に収納された状態で保持されるようにしたことを特徴とすることも好ましい。この場合、ユニットバス設営前に設置する施工を行うとき、浴室暖房機本体１を設置した後にミストノズル７を浴室暖房機本体１内に収納して下に突出しないようにしておくことができ、後でユニットバスを施工するものでミストノズル７がユニットバスの施工の邪魔にならなく、ユニットバスの施工性が良くなる。
【００１０】
またノズル固定板１０をグリル板２に固定し得るようにしたことを特徴とすることも好ましい。この場合、ミストノズル７がグリル板２に最終的に固定されることとなり、ユニットバス設営後の設置、設営前の設置に拘わらず、ミストノズル７とグリル板２との位置関係が一層同一になり、外観が揃うと共にミストサウナ性能も同一となる。またミストノズル７の上下位置を調整できてもグリル板２に対して固定できるので送風機６の振動等でビビリ音などが発生するおそれがない。
【００１１】
またミストノズル７及びその固定部をノズルキャップ１６で覆ったことを特徴することも好ましい。この場合、ノズルキャップ１６で覆うことによりミストノズル７のグリル板２の部分で露出する部分の外観がよくなる。
【発明の効果】
【００１２】
本発明は叙述の如くミストノズルの位置を上下に変更することでユニットバス設営後に設置する仕様でもユニットバス設営前に設置する仕様でもグリル板に対するミストノズルの相対位置を合わせることができ、ユニットバス設営後に設置する仕様でもユニットバス設営前に設置する仕様でも１種類のもので対応できると共に何れ仕様でも同じ外観で同じミストサウナ機能を発揮するように施工できるという効果があり、また上下位置を変更してもその位置で確実に固定できるので送風機の振動等でビビリ音などが発生するおそれがないという効果があり、さらにユニットバス設営前に設置する施工を行うとき、浴室暖房機本体を設置した後にミストノズルを浴室暖房機本体内に収納して下に突出しないようにしておくことができ、後でユニットバスを施工するものでミストノズルがユニットバスの施工の邪魔にならなく、ユニットバスの施工性が良くなるという効果がある。
【発明を実施するための最良の形態】
【００１３】
以下、本発明を添付図面に示す実施形態に基いて説明する。図１乃至図３に示すように本発明のミストサウナ付き浴室暖房機（以下単に浴室暖房機という）Ａは浴室１７内の暖房をしたり、浴室１７内の換気をしたり、浴室１７内に干した洗濯物を乾燥したり、浴室１７内に温水をミスト状に噴霧してミストサウナ浴を行える機能を有する。本例の場合、浴室暖房機Ａは暖房以外に換気や乾燥の機能を有する所謂浴室暖房乾燥機であるが、乾燥や換気がない暖房や送風の機能を有するだけのものでもよい。この浴室暖房機Ａは浴室暖房機本体１と浴室暖房機本体１の下面に装着したグリル板２にて主体が構成されている。浴室暖房機本体１はユニットバスの浴室１７の天井裏に配置してあり、吊り金具５１にて天井スラブ等に吊り支持してあり、浴室暖房機本体１の下面を浴室１７の天井板１８の開口部１９に臨ませてある。天井板１８の下から開口部１９を覆うようにグリル板２が配置され、グリル板２が浴室暖房機本体１の下面側に取り付けられている。
【００１４】
ユニットバス設営前に浴室暖房機Ａを設置する場合は図１に示すように浴室暖房機本体１の下面の周囲のフランジ２０が開口部１９の周縁で天井板１８の上面に当接され、フランジ２０とグリル板２の周縁との間に天井板１８の開口部１９の周縁を挟むようにグリル板２が取り付けられる。ユニットバス設営後に浴室暖房機Ａを設置する場合は図２に示すように浴室暖房機本体１のフランジ２０が開口部１９の周縁で天井板１８の下面に当接され、フランジ２０にグリル板２の周縁が当接されるようにグリル板２が浴室暖房機本体１に取り付けられる。
【００１５】
浴室暖房機本体１内には温風用熱交換器５や送風機６を内装してある。この温風用熱交換器５は内部に温水を通すことで外部を流れる空気と熱交換するようになっている。この温風用熱交換器５は浴室暖房機本体１に配管した暖房用温水管路４の途中に配置してあり、暖房用温水管路４には給湯暖房機のような熱源機３から温水が供給されるようになっている。暖房用温水管路４の途中には温風用熱交換器５への温水の供給を開閉する熱動弁のような暖房用開閉弁２１を設けてあり、暖房用温水管路４の途中にはこの管路を流れる温水の温度を検出する暖房温水サーミスタＴＨ２を配置してある。また上記送風機６には循環用ファン６ａと換気用ファン６ｂとがある。浴室暖房機本体１の吹き出し口２２と対応する位置には吹き出し口２２を開閉する可動ルーバー２３を回転自在に装着してある。グリル板２には浴室１７内の空気を吸い込む吸い込み口２４を設けてあり、この吸い込み口２４の近傍には浴室１７の温度を検出する浴室温度サーミスタＴＨ３を配置してある。浴室暖房機Ａは浴室１７の壁面に設けた操作器２５で操作できるようになっている。
【００１６】
浴室１７内を暖房運転する場合、暖房用開閉弁２１を開いて温風用熱交換器５に温水を供給し、換気用ファン６ｂを停止状態にすると共に循環用ファン６ａを駆動し、可動ルーバー２３を開状態にして吹き出し口２２を開いておく。すると、浴室１７内の空気が吸い込み口２４から浴室暖房機本体１内に吸い込まれ、温風用熱交換器５で温水と熱交換することで加熱された温風が吹き出し口２２から吹き出されるように空気が循環し、浴室１７内が暖房される。
【００１７】
浴室１７内の換気をする換気運転をする場合、暖房用開閉弁２１を閉じて温風用熱交換器５への温水の供給を停止し、循環用ファン６ａを停止すると共に換気用ファン６ｂを駆動し、可動ルーバー２３を閉状態にして吹き出し口２２を閉じておく。すると、浴室１７内の空気が吸い込み口２４から浴室暖房機本体１内に吸い込まれ、排気ダクト２６を介して外部に排気され、浴室１７内の換気が行われる。
【００１８】
浴室１７内を乾燥したり、浴室１７内に干した洗濯物を乾燥したりする乾燥運転を行う場合、暖房用開閉弁２１を開いて温風用熱交換器５に温水を供給し、循環用ファン６ａ及び換気用ファン６ｂを駆動し、可動ルーバー２３を開状態にして吹き出し口２２を開いておく。すると、浴室１７内の空気が吸い込み口２４から浴室暖房機本体１内に吸い込まれ、温風用熱交換器５で温水と熱交換することで加熱された温風が吹き出し口２２から吹き出すように空気が循環し、一方、浴室暖房機本体１内に吸い込まれた空気の一部が排気ダクト２６を介して外部に排気される。これにより浴室１７内の湿度が下がり、浴室１７内の乾燥や浴室１７内に干した洗濯物の乾燥が行われる。
【００１９】
浴室１７内に涼風を送風する場合は、暖房用開閉弁２１を閉じて温風用熱交換器５への温水の供給を停止し、換気用ファン６ｂを停止状態にすると共に循環用ファン６ａを駆動し、可動ルーバー２３を開状態にして吹き出し口２２を開いておく。すると、浴室１７内の空気が吸い込み口２４から浴室暖房機本体１内に吸い込まれ、吹き出し口２２からその空気が吹き出されるように空気が循環し、浴室１７内に涼風の送風が行われる。
【００２０】
また浴室暖房機Ａにはミストサウナの機能を持たせるためのミストサウナ部２７を組み込んである。ミストサウナ部２７のミストノズル７はグリル板２の部分に配置してあり、ミスト用給水管路８をミストノズル７に連通させてある。本例の場合、ミストノズル７として２つのミストノズル７ａ，７ｂがあり、各ミストノズル７ａ，７ｂは０．５リットル／ｍｉｎ程度の流量で温水のミストを噴霧するようになっている。ミストノズル７ａ，７ｂの手前には電磁弁のようなミスト開閉弁２８ａ，２８ｂを設けてあり、ミスト開閉弁２８ａ，２８ｂの開閉にてミストノズル７ａやミストノズル７ｂから選択的にミストが噴霧されるようになっている。２つのミストノズル７ａ，７ｂから温水のミストを噴霧するとミストサウナ強で運転でき、一方のミストノズル７ａまたはミストノズル７ｂから温水のミストを噴霧するとミストサウナ弱で運転できるようになっている。本例の場合、ミストサウナ部２７は浴室暖房機本体１の上に搭載してある。
【００２１】
ミスト用給水管路８には水道水のような上水が供給されるようになっており、入口側から順にストレーナ２９、電磁弁のような給水開閉弁３０を設けてある。上記暖房用温水管路４には温風用熱交換器５と並列になるようにミスト加熱用管路３１を設けてあり、このミスト加熱用管路３１の途中にはミスト加熱用管路３１を流れる温水の流れを制御する比例弁３１ａを設けてある。またミスト加熱用管路３１とミスト用給水管路８との間にはプレート式熱交換器などの液−液熱交換器であるミスト用熱交換器９を配置してあり、ミスト加熱用管路３１を流れる温水でミスト用給水管路８を流れるミスト用の水が加熱されるようになっている。ミスト用熱交換器９とミスト開閉弁２８ａ，２８ｂとの間でミスト用給水管路８からミスト用排水管路３２を分岐してあり、ミスト用給水管路３２内の水をミスト用排水管路３２から浴室１７内または浴室１７外に排出できるようになっている。ミスト用排水管路３２には電磁弁のような排水開閉弁３３と負圧を発生して排水が逆流するのを防止するバキュームブレーカ３４を設けてある。またミスト用熱交換器９とミスト開閉弁２８ａ，２８ｂとの間でミスト用給水管路３２にはミスト用給水管路３２を流れる温水の温度を検出するミスト温水サーミスタＴＨ１を配置してある。
【００２２】
ミストサウナ浴をする場合、給水開閉弁３０を開いてミスト用給水管路８に給水されると共に比例弁３１ａを開いてミスト加熱用管路３１に温水が循環させられる。これによりミスト用熱交換器９にてミスト用給水管路８を流れる水が加熱されて温水がミスト用給水管路８を流れる状態になる。この状態でミスト開閉弁２８ａ，２８ｂが開かれると、温水のミストがミストノズル７ａやミストノズル７ｂから選択的に噴霧されてミストサウナ浴が行われる。このとき、両方のミストノズル７ａ，７ｂからミストを噴霧するとミストサウナ強で運転することができてハードなミストサウナ浴ができ、また一方のミストノズル７ａまたはミストノズル７ｂからミストを噴霧するとミストサウナ弱で運転できてソフトなミストサウナ浴ができるようになっている。またこのようにミストサウナ浴をするときは浴室暖房機Ａが前述のように暖房運転されて浴室１７内の温度が上げられ、快適なミストサウナ浴ができるようになっている。
【００２３】
上述のミストノズル７ａ，７ｂから温水のミストを噴霧してミストサウナ浴を行うことができるが、ミストノズル７ａ，７ｂは浴室暖房機本体１に対して上下位置変更自在に取り付けてあって、ユニットバス設営後の浴室暖房機Ａの設置にも、ユニットバス設営前の浴室暖房機Ａの設置にも対応できるようになっている。
【００２４】
一対のミストノズル７ａ，７ｂを固定するノズル固定板１０は図５乃至図７に示すように間隔を隔てて平行に設けたスライド部１１の基端同士を連結杆３５にて連結し、スライド部１１の先端からスライド部１１が対向する方向に固定片３６を連出して形成されている。このノズル固定板１０の両側の固定片３６にはミストノズル７ａ，７ｂを固定してある。ミストノズル７ａ，７ｂにはホルダー部３７を一体に設けてあり、固定片３６に設けた切り欠き３８にホルダー部３７を挿通してホルダー部３７を係止してある。ホルダー部３７にはノズル押さえ板３９を被せてあり、ノズル押さえ板３９の両側端をビス４０にて固定片３６に止めてある。これにより、ミストノズル７ａ，７ｂのホルダー部３７がノズルキャップ押さえ板３９と固定片３６に挟持されてミストノズル７ａ，７ｂが固定片３６に固定されている。
【００２５】
このようにノズル固定板１０の固定片３６に固定したミストノズル７ａ，７ｂには夫々ミスト開閉弁２８ａ，２８ｂを連結してあり、このミスト開閉弁２８ａ，２８ｂを夫々スライド部１１に連結して支持してある。ミスト開閉弁２８ａ，２８ｂには夫々可撓性のあるミスト用給水管路８を連結してあり、またミスト開閉弁２８ａ，２８ｂに信号のリード線４２を接続してある。またノズル固定板１０の固定片３６には固定片３６をグリル板２に固定するためのネジを螺入する雌ネジ孔４３を設けてある。
【００２６】
ノズル固定板１０を浴室暖房機本体１に取り付けるための支持ステー１２は間隔を隔てて配置した一対の被スライド部１３の基端同士を連結材４５にて一体に連結して略コ字状に形成されている。この支持ステー１２の連結材４５は浴室暖房機本体１内の上底面に沿わせられ、連結材４５の取り付け孔４６からビス等のネジを螺合して支持ステー１２を上底面に吊り下げるように取り付けてある。この支持ステー１２の両側の被スライド部１３間にミストノズル７ａ，７ｂを下にしてノズル固定板１０が配置してあり、被スライド部１３にノズル固定板１０のスライド部１１を上下にスライド自在に重合してある。被スライド部１３は断面略コ字状になっており、被スライド部１３に溝にスライド部１１が嵌るようにスライド自在に重合してある。このスライド部１１には上下に長い長孔１４を設けてあり、この長孔１４に止めネジ１５を挿通してあり、止めネジ１５をスライド部１１に螺合してある。この止めネジ１５は段付きネジであって、所定深さまでしか螺合できず、止めネジ１５に対して長孔１４がスライド自在になっている。これにより被スライド部１３に対してスライド部１１を上下にスライドさせてミストノズル７ａ，７ｂを上下に自在に移動できるようになっている。
【００２７】
ユニットバス設営前に浴室暖房機Ａを設置する施工をする場合、ミストノズル７ａ，７ｂが浴室暖房機本体１の下面から突出しないように浴室暖房機本体１内に収納するようにミストノズル７ａ，７ｂと一緒にノズル固定板１０を上に移動し、図８に示すように浴室暖房機本体１の下面の開口を覆うように保護シート５５を被せ、保護シート５５を固定テープで浴室暖房機本体１に止める。この状態で浴室暖房機本体１を天井スラブ等に吊り下げるように設置し、その後ユニットバスを設営して浴室１７を組み立てる。このとき浴室暖房機本体１の下面からミストノズル７ａ，７ｂが突出していないためにユニットバスの設営が弊害なく行うことができる。ユニットバスを設営したとき浴室暖房機本体１の下面の周縁のフランジ２０が天井板１８の開口部１９の周縁で天井板１８の上面に当接する。このユニットバスの設営後に保護シート５５を剥がしてミストノズル７ａ，７ｂをノズル固定板１０と一緒に上下にする状態とし、天井板１８の下方から開口部１９を覆うようにグリル板２を被せ、フランジ２０とグリル板２の周縁との間に天井板１８の開口部１９の周縁を挟むようにグリル板２を取り付けネジ４８にて浴室暖房機本体１に取り付ける。グリル板２を取り付けた状態でミストノズル７ａ，７ｂがグリル板２の図９に示すような矩形状の挿通孔５０に挿通されてグリル板２の下面側に露出させられる。この状態で挿通孔５０の隅部に設けた固定部５６の通孔５７から固定片３６の雌ねじ孔４３にネジを螺合してミストノズル７ａ，７ｂをグリル板２に固定する。
【００２８】
ユニットバス設営後に浴室暖房機Ａを設置する施工をする場合、設営されたユニットバスの浴室１７の天井板１８の下から開口部１９に浴室暖房機本体１を挿通し、浴室暖房機本体１を天井スラブ等に吊り下げるように設置する。このように浴室暖房機本体１を設置したとき浴室暖房機本体１のフランジ２０が開口部１９の周縁で天井板１８の下面に当接され、フランジ２０にグリル板２の周縁を当接して開口部１９を覆うようにグリル板２を被せ、グリル板２を取り付けネジ４８にて浴室暖房機本体１に取り付ける。このときも、グリル板２を取り付けた状態でミストノズル７ａ，７ｂがグリル板２の挿通孔５０に挿通されてグリル板２の下面側に露出させられる。またこの状態でグリル板２の挿通孔５０の隅部の固定部５６の通孔５７から固定片３６の雌ねじ孔４３にネジを螺合してミストノズル７ａ，７ｂをグリル板２に固定する。
【００２９】
またノズルキャップ１６は図１０に示すような矩形箱状に形成されており、周縁に係止爪５８，５９を有すると共にミストノズル７ａ，７ｂの先端を露出させる透孔６０を有する。このノズルキャップ１６は挿通孔５０の下面側に配置して係止爪５８，５９を挿通孔５０の孔縁に係止することでグリル板２に取り付けてあり、このノズルキャップ１６にてミストノズル７ａ，７ｂ及びミストノズル７ａ，７ｂの固定部を覆ってある。
【００３０】
上記のように本発明ではミストノズル７ａ，７ｂをノズル固定板１０と一緒に上下に位置を変更できるようになっているため、ユニットバス設営前に浴室暖房機Ａを設置する施工の場合でもユニットバス設営後に浴室暖房機Ａを設置する施工の場合でも同じ浴室暖房機Ａで対応できると共にいずれの場合もグリル板２に対するミストノズル７ａ，７ｂの相対位置が同じになるように施工できる。これによりいずれの施工をしてもミストサウナ性能は同一になる。また浴室１７の天井板１８の厚さが異なっても対応することができる。
【００３１】
また上記ようにミストノズル７ａ，７ｂが最終的に固定されるので、ミストノズル７ａ，７ｂとグリル板２の位置関係が一層同一になり、ミストサウナ性能が同一になる。またミストノズル７ａ，７ｂ及びその固定部をノスルカバー１６にて覆ったことで外観がよくなる。
【図面の簡単な説明】
【００３２】
【図１】本発明の実施の形態の一例の浴室暖房機を設置した状態の断面図で、ユニットバス設営前に設置した場合を示す。
【図２】本発明の実施の形態の一例の浴室暖房機を設置した状態の断面図で、ユニットバス設営後に設置した場合を示す。
【図３】同上の浴室暖房機の内部の配管を説明する管路図である。
【図４】同上の浴室暖房機を浴室に設置した状態の一部切欠斜視図である。
【図５】同上のミストノズルやノズル固定板の上下位置を変更する構造を説明する斜視図である。
【図６】（ａ）は図５の正面図、（ｂ）は（ａ）の下面図、（ｃ）は（ｂ）の側面図である。
【図７】同上のノズル固定板にミストノズルやミスト開閉弁を取り付けた状態を示し、（ａ）は正面図、（ｂ）下面図、（ｃ）は側面図である。
【図８】同上の浴室暖房機本体の下面を保護シートで覆った状態を示す概略斜視図である。
【図９】同上のグリル板の挿通孔の部分の下方から見た平面図である。
【図１０】同上のノズルキャップを示し、（ａ）は正面図、（ｂ）は下面図である。
【符号の説明】
【００３３】
Ａ  浴室暖房機  
１  浴室暖房機本体
２  グリル板
３  熱源機
４  暖房用温水管路
５  温風用熱交換器
６  送風機
７  ミストノズル
８  ミスト用給水管路
９  ミスト用熱交換器
１０  ノズル固定板
１１  スライド部
１２  ノズル支持ステー
１３  被スライド部
１４  長孔
１５  止めネジ
１６  ノズルキャップ
【図１】
2006071144.tif 000003
【図２】
2006071144.tif 000004
【図３】
2006071144.tif 000005
【図４】
2006071144.tif 000006
【図５】
2006071144.tif 000007
【図６】
2006071144.tif 000008
【図７】
2006071144.tif 000009
【図８】
2006071144.tif 000010
【図９】
2006071144.tif 000011
【図１０】
2006071144.tif 000012